【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
第１の通信装置に対するユーザ入力であって、当該第１の通信装置が有するいずれかのデータと方向とを指定する前記ユーザ入力を検出する検出部と；
実空間内に存在する１つ以上の通信装置の位置を表現する環境マップから、前記ユーザ入力により指定された前記方向に基づいて、指定された前記データの送信先となるべき第２の通信装置を選択する選択部と；
前記第１の通信装置から前記第２の通信装置へ、前記第１の通信装置が有する前記データを送信させる通信制御部と；
を備える通信制御装置。
【請求項２】
前記選択部は、前記環境マップにおいて、前記第１の通信装置を基準として前記ユーザ入力により指定された前記方向に位置する通信装置を、前記第２の通信装置として選択する、請求項１に記載の通信制御装置。
【請求項３】
前記選択部は、前記環境マップにおける前記第１の通信装置の位置及び姿勢並びに前記ユーザ入力により指定された前記方向に基づいて、前記第１の通信装置を起点とする１つの直線を特定し、当該直線の少なくとも近傍に位置する通信装置を前記第２の通信装置として選択する、請求項２に記載の通信制御装置。
【請求項４】
前記選択部は、前記環境マップにおいて、前記第１の通信装置を基準として前記ユーザ入力により指定された前記方向に位置する通信装置が複数存在する場合には、当該複数の通信装置のうち前記第１の通信装置から最も近くに位置する通信装置を、前記第２の通信装置として選択する、請求項２又は請求項３に記載の通信制御装置。
【請求項５】
前記通信制御装置は、
前記第１の通信装置から前記第２の通信装置へ前記データが送信される際に、データ送信を表すアニメーションを表示装置に表示させる表示制御部、
をさらに備える、請求項１に記載の通信制御装置。
【請求項６】
前記ユーザ入力は、前記第１の通信装置が有する画面上での当該画面に表示されたアイコンについてのドラッグであり、いずれのアイコンがユーザによりドラッグされたかに応じて、前記第１の通信装置から送信されるべき前記データが特定される、請求項１に記載の通信装置。
【請求項７】
通信制御装置により実行される通信制御方法において：
第１の通信装置に対するユーザ入力であって、当該第１の通信装置が有するいずれかのデータと方向とを指定する前記ユーザ入力を検出するステップと；
実空間内に存在する１つ以上の通信装置の位置を表現する環境マップから、前記ユーザ入力により指定された前記方向に基づいて、指定された前記データの送信先となるべき第２の通信装置を選択するステップと；
前記第１の通信装置から前記第２の通信装置へ、前記第１の通信装置が有する前記データを送信させるステップと；
を含む、通信制御方法。
【請求項８】
通信制御装置を制御するコンピュータを：
第１の通信装置に対するユーザ入力であって、当該第１の通信装置が有するいずれかのデータと方向とを指定する前記ユーザ入力を検出する検出部と；
実空間内に存在する１つ以上の通信装置の位置を表現する環境マップから、前記ユーザ入力により指定された前記方向に基づいて、指定された前記データの送信先となるべき第２の通信装置を選択する選択部と；
前記第１の通信装置から前記第２の通信装置へ、前記第１の通信装置が有する前記データを送信させる通信制御部と；
として機能させるための、プログラム。
【請求項９】
第１の通信装置に対するユーザ入力であって、当該第１の通信装置が有するいずれかのデータを指定する前記ユーザ入力を検出する検出部と；
実空間内に存在する１つ以上の通信装置の位置を表現する環境マップにおける前記第１の通信装置の位置に基づいて、前記ユーザ入力により指定された前記データの送信先となるべき第２の通信装置を前記環境マップから選択する選択部と；
前記第１の通信装置から前記第２の通信装置へ、前記第１の通信装置が有する前記データを送信させる通信制御部と；
を備える通信制御装置。
【請求項１０】
前記選択部は、前記環境マップにおいて前記第１の通信装置の下方に位置する通信装置を前記第２の通信装置として選択する、請求項９に記載の通信制御装置。
【請求項１１】
通信制御装置により実行される通信制御方法において：
第１の通信装置に対するユーザ入力であって、当該第１の通信装置が有するいずれかのデータを指定する前記ユーザ入力を検出するステップと；
実空間内に存在する１つ以上の通信装置の位置を表現する環境マップにおける前記第１の通信装置の位置に基づいて、前記ユーザ入力により指定された前記データの送信先となるべき第２の通信装置を前記環境マップから選択するステップと；
前記第１の通信装置から前記第２の通信装置へ、前記第１の通信装置が有する前記データを送信させるステップと；
を含む、通信制御方法。
【請求項１２】
通信制御装置を制御するコンピュータを：
第１の通信装置に対するユーザ入力であって、当該第１の通信装置が有するいずれかのデータを指定する前記ユーザ入力を検出する検出部と；
実空間内に存在する１つ以上の通信装置の位置を表現する環境マップにおける前記第１の通信装置の位置に基づいて、前記ユーザ入力により指定された前記データの送信先となるべき第２の通信装置を前記環境マップから選択する選択部と；
前記第１の通信装置から前記第２の通信装置へ、前記第１の通信装置が有する前記データを送信させる通信制御部と；
として機能させるための、プログラム。
【手続補正２】
【補正対象書類名】明細書
【補正対象項目名】０００９
【補正方法】変更
【補正の内容】
【０００９】
ある実施形態によれば、第１の通信装置に対するユーザ入力であって、当該第１の通信装置が有するいずれかのデータと方向とを指定する上記ユーザ入力を検出する検出部と、実空間内に存在する１つ以上の通信装置の位置を表現する環境マップから、上記ユーザ入力により指定された上記方向に基づいて、指定された上記データの送信先となるべき第２の通信装置を選択する選択部と、上記第１の通信装置から上記第２の通信装置へ、上記第１の通信装置が有する上記データを送信させる通信制御部と、を備える通信制御装置が提供される。
【手続補正３】
【補正対象書類名】明細書
【補正対象項目名】００１０
【補正方法】変更
【補正の内容】
【００１０】
かかる構成によれば、データ送信元の第１の通信装置に対するユーザ入力が検出されると、ユーザ入力により指定された方向に基づいて環境マップから選択される第２の通信装置へ、第１の通信装置から指定されたデータが送信される。
【手続補正４】
【補正対象書類名】明細書
【補正対象項目名】００１６
【補正方法】変更
【補正の内容】
【００１６】
また、別の実施形態によれば、通信制御装置により実行される通信制御方法において、第１の通信装置に対するユーザ入力であって、当該第１の通信装置が有するいずれかのデータと方向とを指定する上記ユーザ入力を検出するステップと、実空間内に存在する１つ以上の通信装置の位置を表現する環境マップから、上記ユーザ入力により指定された上記方向に基づいて、指定された上記データの送信先となるべき第２の通信装置を選択するステップと、上記第１の通信装置から上記第２の通信装置へ、上記第１の通信装置が有する上記データを送信させるステップと、を含む、通信制御方法が提供される。
【手続補正５】
【補正対象書類名】明細書
【補正対象項目名】００１７
【補正方法】変更
【補正の内容】
【００１７】
また、別の実施形態によれば、通信制御装置を制御するコンピュータを、第１の通信装置に対するユーザ入力であって、当該第１の通信装置が有するいずれかのデータと方向とを指定する上記ユーザ入力を検出する検出部と、実空間内に存在する１つ以上の通信装置の位置を表現する環境マップから、上記ユーザ入力により指定された上記方向に基づいて、指定された上記データの送信先となるべき第２の通信装置を選択する選択部と、上記第１の通信装置から上記第２の通信装置へ、上記第１の通信装置が有する上記データを送信させる通信制御部と、として機能させるための、プログラムが提供される。
【手続補正６】
【補正対象書類名】明細書
【補正対象項目名】００１８
【補正方法】変更
【補正の内容】
【００１８】
また、別の実施形態によれば、第１の通信装置に対するユーザ入力であって、当該第１の通信装置が有するいずれかのデータを指定する上記ユーザ入力を検出する検出部と、実空間内に存在する１つ以上の通信装置の位置を表現する環境マップにおける上記第１の通信装置の位置に基づいて、上記ユーザ入力により指定された上記データの送信先となるべき第２の通信装置を上記環境マップから選択する選択部と、上記第１の通信装置から上記第２の通信装置へ、上記第１の通信装置が有する上記データを送信させる通信制御部と、を備える通信制御装置が提供される。
【手続補正７】
【補正対象書類名】明細書
【補正対象項目名】００２０
【補正方法】変更
【補正の内容】
【００２０】
また、別の実施形態によれば、通信制御装置により実行される通信制御方法において、第１の通信装置に対するユーザ入力であって、当該第１の通信装置が有するいずれかのデータを指定する上記ユーザ入力を検出するステップと、実空間内に存在する１つ以上の通信装置の位置を表現する環境マップにおける上記第１の通信装置の位置に基づいて、上記ユーザ入力により指定された上記データの送信先となるべき第２の通信装置を上記環境マップから選択するステップと、上記第１の通信装置から上記第２の通信装置へ、上記第１の通信装置が有する上記データを送信させるステップと、を含む、通信制御方法が提供される。
【手続補正８】
【補正対象書類名】明細書
【補正対象項目名】００２１
【補正方法】変更
【補正の内容】
【００２１】
また、別の実施形態によれば、通信制御装置を制御するコンピュータを、第１の通信装置に対するユーザ入力であって、当該第１の通信装置が有するいずれかのデータを指定する上記ユーザ入力を検出する検出部と、実空間内に存在する１つ以上の通信装置の位置を表現する環境マップにおける上記第１の通信装置の位置に基づいて、上記ユーザ入力により指定された上記データの送信先となるべき第２の通信装置を上記環境マップから選択する選択部と、上記第１の通信装置から上記第２の通信装置へ、上記第１の通信装置が有する上記データを送信させる通信制御部と、として機能させるための、プログラムが提供される。